(57)【要約】【課題】消灯時の残光の光取り出し効率の向上を図りながら、点灯時の光取り出し効率の向上を目指す照明装置を提供すること。【解決手段】本発明に係る照明装置１００は、発光素子１を備える発光装置１０と、前記発光素子１の出射光で励起される波長変換部材２と、前記発光装置１０から離間するように配置され、かつ蓄光蛍光体３が含有された透光性カバー４と、を備えることを特徴とする。【選択図】図１
2015133221.tif 000002
【特許請求の範囲】
【請求項１】
発光素子を備える発光装置と、
前記発光素子の出射光で励起される波長変換部材と、
前記発光装置から離間するように配置され、かつ蓄光蛍光体が含有された透光性カバーと、
を備えることを特徴とする照明装置。
【請求項２】
前記波長変換部材は、前記発光装置に備えられていることを特徴とする請求項１に記載の照明装置。
【請求項３】
前記透光性カバーに含有される前記蓄光蛍光体が１wt％〜１０wt％であることを特徴とする請求項１又は請求項２に記載の照明装置。
【請求項４】
前記波長変換部材は、前記透光性カバーに備えられていることを特徴とする請求項１乃至請求項３のいずれか一項に記載の照明装置。
【請求項５】
前記蓄光蛍光体の出射光によって、前記透光性カバーに備えられた波長変換部材が励起されることを特徴とする請求項４に記載の発光装置。
【請求項６】
前記透光性カバーの上面側の前記蓄光蛍光体の含有濃度が、前記透光性カバーの下面側の前記蓄光蛍光体の含有濃度よりも少ないことを特徴とする請求項１乃至請求項５のいずれか一項に記載の照明装置。
【請求項７】
前記照明装置は、前記発光素子を備える発光装置と、前記発光装置を載置する実装基板とを備え、前記蓄光蛍光体がさらに前記実装基板の上面に設けられていることを特徴とする請求項１乃至請求項６のいずれか一項に記載の照明装置。
【請求項８】
前記透光性カバーに光拡散材料が含有されていることを特徴とする請求項１乃至請求項７のいずれか一項に記載の照明装置。
【発明の詳細な説明】
【技術分野】
【０００１】
本発明は、発光素子を備える照明装置に関する。
【背景技術】
【０００２】
照明器具の光源は、従来蛍光灯ランプや白熱電球、ハロゲン電球等が用いられていた。近年では、これらの光源に代わる光源として半導体発光素子を備えた照明装置が研究されている。さらに、このような照明装置においては、災害時や停電時のように電気を供給出来ない状況においても、一定時間残光を残す蓄光材料を備えた照明装置が知られている。
蓄光材料とは、太陽光や人工照明の光を照射すると、暗所で比較的長い時間残光をもつ性質がある。蓄光材料を備えた照明装置は、点灯時の照明装置から光エネルギーを吸収して、消灯後においても残光として一定時間光を放出することができる。
【０００３】
例えば蓄光型の照明装置として、特許文献１（段落００２３、図５参照）には発光装置の収納部に充填させる封止部材に蓄光材料を混合させる照明装置が開示されている。
また特許文献２（段落００２８、図１参照）には密閉構造のアウターケースの内表面に蓄光シートを貼付する照明装置が開示されている。
【先行技術文献】
【特許文献】
【０００４】
【特許文献１】特開２０１３−６９８８１
【特許文献２】特開２０１３−２１８８２８
【発明の概要】
【発明が解決しようとする課題】
【０００５】
しかし特許文献１に記載の照明装置は、蓄光材料は発光装置の収納部に設けられており、残光が視える部分は発光装置単位の狭い領域となる。したがって、透光性カバーを通して見たときに残光の視認が困難であるという問題があった。また、蓄光材料は熱に弱いので、特許文献１のように蓄光材料を発熱の大きい発光素子の周辺に設けると発光素子からの熱によって劣化しやすいという問題があった。
【０００６】
特許文献２に記載の照明装置は、蓄光シートがアウターケースに貼付していることにより、通常の点灯時においてシートが貼付された部分からの光の取り出し効率が低下するという問題があった。また、蓄光シートと照明カバー間の接着剤等が発光装置からの熱で劣化しやすいという問題があり、品質の高い照明装置を作ることが困難であった。さらに、シート状の蓄光シートを円弧状のカバーに取り付ける場合、均一に貼り付けることが困難で、作業効率を阻害する要因となってしまう。
【０００７】
本発明はかかる課題に鑑みてなされたものであり、消灯時の残光の光取り出し効率の向上を図りながら、点灯時においても光取り出し効率の向上が可能な照明装置を提供することを目的とする。
【課題を解決するための手段】
【０００８】
前記した目的を達成するために、本発明に係る照明装置は、発光素子を備える発光装置と、前記発光素子の出射光で励起される波長変換部材と、前記発光装置から離間するように配置され、かつ蓄光蛍光体が含有された透光性カバーと、を備えることを特徴とする。
【発明の効果】
【０００９】
請求項１に記載の発明によれば、透光性カバーに蓄光蛍光体を含有させることで、残光の光の取り出し効率の向上を図ることが出来る。
【図面の簡単な説明】
【００１０】
【図１】（ａ）は本発明に係る実施形態における照明装置の正面図、（ｂ）は本発明に係る実施形態における照明装置を上側から見た平面図、（ｃ）は本発明に係る実施形態における（ｂ）の線Ａ−Ａ’における断面図である。
【図２】本発明に係る発光装置の断面図である。
【図３】（ａ）は本発明に係る実施形態における本発明を適用した直管型照明の模式図、（ｂ）は本発明に係る実施形態における本発明を適用した直管型照明の模式図である。
【図４】（ａ）は本発明に係る実施形態における本発明を適用したダウンライト照明の模式図、（ｂ）は本発明に係る実施形態における本発明を適用したダウンライト照明の模式図である。
【図５】（ａ）は本発明に係る実施形態における照明装置の正面図、（ｂ）は本発明に係る実施形態における（ａ）の模式断面図、（ｃ）は本発明に係る実施形態における照明装置の正面図、（ｄ）は本発明に係る実施形態における（ｃ）の模式断面図である。
【図６】（ａ）は本発明に係る実施形態における実装基板と発光装置を表した模式図、（ｂ）は本発明に係る実施形態における（ａ）の線Ａ−Ａ’における模式断面図である。
【図７】（ａ）は本発明に係る実施形態における照明装置の正面図、（ｂ）は本発明に係る実施形態における照明装置を上側から見た平面図、（ｃ）は本発明に係る実施形態における（ｂ）の線Ａ−Ａ’における断面図である。
【発明を実施するための形態】
【００１１】
以下、本発明の実施形態について、適宜図面を参照して説明する。ただし、以下に示す形態は、本発明の技術思想を具体化するための照明装置を例示するものであって、本発明は以下に限定されるものではない。
【００１２】
（第一実施形態）
図１を参照して、本発明の第一実施形態に係る照明装置１００の構成について説明する。図１に示すように第一実施形態に係る照明装置１００は、半導体発光素子（以下、単に「発光素子１」と記す）を備える発光装置１０と、発光装置１０に備えられた波長変換部材２と、蓄光蛍光体３が含有された透光性カバー４を備えている。
【００１３】
（発光装置）
発光装置１０は照明装置１００内の実装基板１１に実装されており、少なくとも一つの発光素子１を備えている。図２において発光装置１０は、少なくとも一つの発光素子１と、発光素子１からの出射光によって励起する波長変換部材２を備えている。ただし、後述するように波長変換部材２は発光装置１０以外にも設けることが出来るので、発光装置１０は波長変換部材２を必ずしも備える必要はない。実装基板１１に載置される発光装置１０は、一つでも良いし、図１（ｂ）で示すように複数の発光装置１０を載置しても良い。同様に、発光装置１０に備えられる発光素子１は、一つでも良いし、複数の発光素子１を載置しても良い。このように複数の発光装置１０又は発光素子１を備える場合、実装基板１１上又は発光装置１０内に略対称に配置することが好ましい。このように配置することで、照明装置１００の配光ムラを軽減させることが出来るからである。
【００１４】
発光装置１０は、好適には発光面側から観測した際の配光が略ランバート分布配光となる構造のものが用いられる。これにより、輝度ムラが少なく高効率で、不快感や物の見えづらさを生じさせるような眩しさ（グレア）を低減した照明装置１００とすることができる。ただし発光装置１０は、照明装置１００の使用目的に適した光を発光するものであれば特に限定されるものではない。
【００１５】
（実装基板）
実装基板１１は、照明装置１００内に設けられ、上面に発光装置１０を備えている。実装基板１１の形状は、図１（ｂ）で示すように平面視において四角形の形状だけではなく、円形状やその他の多角形状であってもよい。また、実装基板１１は発光装置１０だけではなく他の回路部品を実装することが出来る。例えば、点灯回路にノイズが重畳されることによる発光装置１０の誤点灯を防止するためにコンデンサ等を実装したり、過大な電圧から発光装置１０を保護するためにツェナーダイオード等を実装することが出来る。
【００１６】
（発光素子）
発光素子１は、発光装置１０に備えられている。発光素子１は、少なくとも発光層を有し、より好適には第１導電型半導体、発光層及び第２導電型半導体がこの順に形成される半導体積層構造を備え、この半導体積層構造に電流を供給する電極が設けられた半導体発光素子１構造を有している。例えば、窒化物半導体であるGaN系化合物半導体を用い、サファイア基板上に、１〜２μｍ程度の厚さのｎ型半導体層、５０〜１５０ｎｍ程度の厚さの発光層、１００〜３００ｎｍ程度の厚さのｐ型半導体層を形成する半導体発光素子１構造とすることが出来る。
【００１７】
発光素子１は、波長変換部材２を効率良く励起させることが出来るものであれば良い。発光素子１としては、出射光の発光ピーク波長が近紫外線から可視光の短波長領域である２４０ｎｍ〜５００ｎｍ付近、好ましくは４５０ｎｍ〜４７０ｎｍにある発光スペクトルを有することが望ましい。発光素子１は波長変換部材２や蓄光蛍光体３を適宜選択することによって、青色発光する発光素子１や赤色発光する発光素子１、緑色発光する発光素子１等を任意に選ぶことが出来る。第一実施形態に係る照明装置１００においては、図２に示すように、発光素子１が発光装置１０内の支持体６にフリップチップ実装されているが、これに限らず発光素子１は支持体６にワイヤー等の導電部材を介して電気的に接続されていてもよい。
【００１８】
（波長変換部材）
本件明細書における波長変換部材２は、後述する蓄光蛍光体３とは区別され、蓄光特性を持たない蛍光体全般を指す。波長変換部材２は、少なくとも発光素子１の出射光で励起されるものであればよい。第一実施形態に係る照明装置１００において、波長変換部材２は発光装置１０に備えられている。波長変換部材２の一例としては、青色発光する発光素子１には、黄色発光するセリウムで賦活されたＹＡＧ（イットリウム・アルミニウム・ガーネット）系蛍光体や（Ｓｒ，Ｂａ）2ＳｉＯ4：Ｅｕ等のシリケート系蛍光体等を用いることが出来る。青色発光する発光素子１と上記の蛍光体を組み合わせることによって、簡単に白色光を得ることが出来る。
【００１９】
その他の波長変換部材２としては、例えば赤色蛍光体や緑色蛍光体を用いることが出来る。青色発光する発光素子１を用いる場合は、赤色蛍光体と緑色蛍光体を組み合わせて波長変換部材２とすることによって簡単に白色光を得ることが出来る。
また、青色発光する発光素子１にＹＡＧ系蛍光体を備え、白色発光する発光装置１０は電球のようなやや赤みを帯びた白色発光を得ることができず演色性が悪いという問題がある。このような場合に、波長変換部材２として赤色蛍光体をさらに備えることによって白色光の演色性をさらに向上させることが出来る。
【００２０】
赤色蛍光体の一例としては、（Ｃａ，Ｓｒ，Ｂａ）2Ｓｉ5（Ｎ，Ｏ）8：Ｅｕ、（Ｃａ，Ｓｒ，Ｂａ）Ｓｉ（Ｎ，Ｏ）2：Ｅｕ、（Ｃａ，Ｓｒ，Ｂａ）ＡｌＳｉ（Ｎ，Ｏ）3：Ｅｕ、（Ｓｒ，Ｂａ）3ＳｉＯ5：Ｅｕ、（Ｃａ，Ｓｒ）Ｓ：Ｅｕ、ＳｒＡｌＳｉ4Ｎ7：Ｅｕ、（Ｌａ，Ｙ）2Ｏ2Ｓ：Ｅｕ、Ｅｕ（ジベンゾイルメタン）3・１，１０−フェナントロリン錯体などのβ−ジケトン系Ｅｕ錯体、カルボン酸系Ｅｕ錯体、Ｍｎ付活ジャーマネートが好ましく、（Ｃａ，Ｓｒ，Ｂａ）2Ｓｉ5（Ｎ，Ｏ）8：Ｅｕ、（Ｓｒ，Ｃａ）ＡｌＳｉ（Ｎ，Ｏ）3：Ｅｕ、ＳｒＡｌＳｉ4Ｎ7：Ｅｕ、（Ｌａ，Ｙ）2Ｏ2Ｓ：Ｅｕ、Ｋ2ＳｉＦ6：Ｍｎ（但し、Ｓｉの一部がＡｌやＮａで置換されていてもよい）等を用いることが出来る。また緑色蛍光体の一例としては、Ｓｉ6-ZＡｌZＯZＮ8-Z:Ｅｕ,Ｃａ8ＭｇＳｉ4Ｏ16Ｃ12:Ｅｕ,Ｂａ3Ｓｉ6Ｏ12Ｎ2:Ｅｕ等を用いることが出来る。
【００２１】
波長変換部材２は、図２で示すように、発光素子１を直接被覆する構成に限らず、波長変換部材２は封止部材７に混合させて設けることもできるし、さらには波長変換部材２を発光素子１から離間して設けることも出来る。具体的な波長変換部材２の形成方法としては、電気泳動沈着、スプレーコート、印刷、噴霧、ブラッシング、流し塗り、浸漬、ポッティング等によって形成することができる。さらに、波長変換部材２をシート状に形成して透光性カバー４の表面に貼付してもよい。
【００２２】
（透光性カバー）
透光性カバー４は蓄光蛍光体３が含有されており、発光装置１０から離間するように配置される。本件明細書における透光性とは、発光素子１の発光波長における透過率が１０％以上あることを指す。透光性カバー４はポリカーボネートやアクリル樹脂等の絶縁性を有する透明合成樹脂やその他の熱硬化性樹脂、熱可塑性樹脂、又はガラス等によって形成することが出来る。
【００２３】
また透光性カバー４は、蓄光蛍光体３に加えて光拡散材料５を含有させてもよい。透光性カバー４に光拡散材料５を含有させることによって、発光装置１０からの出射光の指向性を緩和させることが出来る。したがって、透光性カバー４から出射される光をカバー表面において均一化することが出来る。さらに、光拡散材料５を含有することによって、照明装置１００の明所での非発光時の意匠性を改善することもできる。光拡散材料５としては、酸化チタン、ガラスビーズ、炭酸カルシウム、アルミ粉、マイカ等を用いることが出来る。
【００２４】
（蓄光蛍光体）
蓄光蛍光体３は透光性カバー４に含有され、発光装置１０から離間されている。この構成によると、発光装置１０からの熱による蓄光蛍光体３の劣化を防ぐことが出来る。蓄光蛍光体３の種類としては、銅(Cu)付活硫化亜鉛系蛍光体、ユーロピウム(Eu)付活アルカリ土類硫化物系蛍光体、ユーロピウム(Eu)付活アルカリ土類アルミン酸塩系蛍光体、及び、ユーロピウム(Eu)付活アルカリ土類珪酸塩蛍光体等の蓄光蛍光体３を用いることが出来る。
【００２５】
青色に発光する蓄光蛍光体３は、組成式が（Ｃａ1-m Ｍｇm ）Ｏ・ｒ（Ａｌ1-n Ｂn ）2 Ｏ3 ：Ｅｕ，Ｎｄ（但し、ｍ、ｎ及びｒはそれぞれ０≦ｍ≦０．２、０≦ｎ≦０．２及び０．７≦ｒ≦２．０の範囲である）で表されるユーロピウム付活アルカリ土類アルミン酸塩系蛍光体、組成式がｍＣａＯ・ｎＭｇＯ・２ＳｉＯ2 ：Ｅｕ，Ｄｙ，Ｘ（但し、ＸはＦ、Ｃｌ、Ｂｒ及びＩの群から選択される１種以上のハロゲン元素であり、ｍ及びｎはそれぞれ、１．５≦ｍ≦３．５及び０．５≦ｎ≦１．５である）で表されるユーロピウム付活アルカリ土類珪酸塩系蛍光体、組成式がｍＣａＯ・ｎＭｇＯ・２ＳｉＯ2 ：Ｅｕ，Ｎｄ，Ｘ（但し、ＸはＦ、Ｃｌ、Ｂｒ及びＩの群から選択される１種以上のハロゲン元素であり、ｍ及びｎはそれぞれ１．５≦ｍ≦３．５、０．５≦ｎ≦１．５である）で表されるユーロピウム付活アルカリ土類珪酸塩系蛍光体等などを挙げることができる。
【００２６】
緑色に発光する蓄光蛍光体３は、組成式が（Ｓｒ1-m Ｍｇm ）Ｏ・ｒ（Ａｌ1-n Ｂn ）2 Ｏ3 ：Ｅｕ，Ｄｙ（但し、ｍ、ｎ及びｒはそれぞれ０≦ｍ≦０．２、０≦ｎ≦０．２、０．７≦ｒ≦２．０である）で表されるユーロピウム付活アルカリ土類アルミン酸塩系蛍光体、組成式がｍＳｒＯ・ｎＭｇＯ・２ＳｉＯ2 ：Ｅｕ，Ｄｙ，Ｘ（但し、ＸはＦ、Ｃｌ、Ｂｒ及びＩの群から選択される１種以上のハロゲン元素であり、ｍ及びｎは、１．５≦ｍ≦３．５及び０．５≦ｎ≦１．５）で表されるユーロピウム付活アルカリ土類珪酸塩系蛍光体、組成式がｍＳｒＯ・ｎＭｇＯ・２ＳｉＯ2 ：Ｅｕ，Ｎｄ，Ｘ（但し、ＸはＦ、Ｃｌ、Ｂｒ及びＩの群から選択される１種以上のハロゲン元素であり、ｍ及びｎはそれぞれ１．５≦ｍ≦３．５及び０．５≦ｎ≦１．５である）で表されるユーロピウム付活アルカリ土類珪酸塩系蛍光体、組成式がＺｎＳ：Ｃｕ，Ｃｌで表される銅（Ｃｕ）付活硫化亜鉛蛍光体などを挙げることができる。
【００２７】
橙色〜赤色に発光する蓄光蛍光体３は、組成式がＣａＳ：Ｅｕで表されるユーロピウム付活硫化カルシウム蛍光体などを挙げることができる。
【００２８】
透光性カバー４に含有される蓄光蛍光体３の含有濃度Xは、少なくとも残光が視認出来る程度であれば良い。好ましくは、透光性カバー４に含有される蓄光蛍光体３の含有濃度Xは、Ｘ≦５０wt％となるように、さらに好ましくは１wt%≦X≦１０wt%となるように配合されることが望ましい。蓄光蛍光体３の含有濃度Xを蓄光蛍光体含有カバー１２全体の質量の1割程度とすることで、点灯時に発光装置１０から出射される光が蓄光蛍光体３で反射され、反射された光が発光装置１０側に戻ることを抑えることが出来る。
【００２９】
また蓄光蛍光体３を含有した透光性カバー４を通したときの残光の発光ピーク波長は３００nm〜７５０nm程度であることが好ましく、さらに好ましくは残光の発光ピーク波長は４５０nm〜６００nmであることが好ましい。このようにすることで、残光を十分に視認することが出来るとともに、後述する波長変換部材２を透光性カバー４に備えた場合、波長変換部材２を励起させることが出来る。したがって、残光の出射光と、残光によって励起された波長変換部材２の出射光を組み合わせることによって任意の発光色を発光させることが出来る。
【００３０】
（カバーの成形方法）
以下、透光性カバー４に少なくとも蓄光蛍光体３が含有されたものを単に蓄光蛍光体含有カバー１２と適宜変換して記す。蓄光蛍光体含有カバー１２は、蓄光蛍光体３以外に波長変換部材２や光拡散材料５等を含有させることが出来る。後に記載する蓄光蛍光体含有カバー１２が複数の小カバーで形成される場合は、全ての小カバーが組み合わされたものを蓄光蛍光体含有カバー１２とする。
【００３１】
蓄光蛍光体含有カバー１２の成形方法は、射出成形法、ポッティング成形法、トランスファモールド法、圧縮成形法等を用いることが出来る。具体的な成形法の一例としては、透光性カバー４の原料となるポリカーボネートと蓄光蛍光体３のSrAl2O4:Eu,Dyを混合し流動性を有する状態（液状、ゾル状、又はスラリー状）にする。次に、その混合物を成形機に投入し、蓄光蛍光体含有カバー１２の形状となるように金型を配置し、金型内に射出成形することによって蓄光蛍光体含有カバー１２を得ることが出来る。この時、金型の形状を任意にすることによって望ましい形状の蓄光蛍光体含有カバー１２を得ることが出来る。ただし、蓄光蛍光体含有カバー１２の膜厚は略均一に形成されることが望ましい。
【００３２】
蓄光蛍光体含有カバー１２の形状としては、図１（ａ）のような発光装置１０を覆うような電球型照明に対応する形状だけではなく、図３（ａ）、（ｂ）のような直管型電球に対応する一方向に長い蓄光蛍光体含有カバー１２や、図４（ａ）、（ｂ）のようなダウンライトに対応する蓄光蛍光体含有カバー１２等、任意の形状にすることが出来る。図４のダウンライトにおいて、蓄光蛍光体含有カバー１２は、図４（ｂ）で示すように発光装置１０と対応する部分にのみ設けることも出来るし、発光面側の全面を覆う蓄光蛍光体含有カバー１２とすることも出来る。
【００３３】
蓄光蛍光体含有カバー１２の別の形態としては、図５（ａ）、（ｂ）に示すように、透光性カバー４の上面側の蓄光蛍光体３の含有濃度が、透光性カバー４の下面側の蓄光蛍光体３の含有濃度よりも少なくすることが出来る。このようにすることで、通常の点灯時において、主に発光を取り出す蓄光蛍光体含有カバー１２の上面側に出射される光が、蓄光蛍光体３によって反射され、発光装置１０側に光が戻る確率を抑えることが出来る。また、この構成によると、カバー全体に均一に蓄光蛍光体３を含有させる時と同じ蓄光蛍光体の量であっても、透光性カバー４の下面側に含有される蓄光蛍光体３の含有濃度を高くすることが出来る。蓄光蛍光体３は濃度が大きくなると、残光時間を延ばすことが出来るので、この構成による照明装置１００はより長い時間残光を出射することが出来る。本件明細書における、上面側とは発光装置１０の発光を取り出す側を指し、透光性カバー４の上面側とは透光性カバー４の高さ方向において５０％の位置よりも上面側のことを指す。また、下面側とは上面側の逆の方向を指し、透光性カバー４の下面側とは透光性カバー４の高さ方向において５０％の位置よりも下側のことを指す。
また図５（ｃ）、（ｄ）で示すように、蓄光蛍光体含有カバー１２は分割可能なカバーであっても良く、複数の小カバーを組み合わせて形成することが出来る。複数の小カバーを組み合わせることによって、蓄光蛍光体３の含有濃度が各小カバーで異なる蓄光蛍光体含有カバー１２を得ることが出来る。この場合、蓄光蛍光体含有カバー１２の上面側の小カバーの蓄光蛍光体３の含有濃度が、蓄光蛍光体含有カバー１２の下面側の小カバーの蓄光蛍光体３の含有濃度よりも少なくすることが好ましい。図５（ｃ）における蓄光蛍光体含有カバー１２は２つの小カバーに分割しているが、これに限らず蓄光蛍光体含有カバー１２は２以上の小カバーで任意に形成することが出来る。この構成によると、各小カバーで蓄光蛍光体３の含有濃度を任意に決めることが出来るだけではなく、各小カバーで異なる発光波長を持つ蓄光蛍光体３を備えることが出来る。
【００３４】
図６で示すように、蓄光蛍光体３はさらに実装基板１１の上面に設けることが出来る。この構成によると、発光装置１０から側方や下方に出射した光が実装基板１１上に設けられた蓄光蛍光体３を励起させ、消灯時に透光性カバー４に含有された蓄光蛍光体３と実装基板１１上の蓄光蛍光体３の両方から効率的に残光を得ることが出来る。
【００３５】
（第二実施形態）
図７を参照して、本発明の第二実施形態に係る照明装置２００の構成について説明する。図７に示すように第二実施形態に係る照明装置２００は、発光素子１を備える発光装置１０と、波長変換部材２と、蓄光蛍光体３が含有された透光性カバー４を備えている。第一実施形態に係る照明装置１００と相違する点は、波長変換部材２が透光性カバー４に備えられている点である。以下、第一実施形態と相違する点について詳しく述べ、第一実施形態と一致する点は適宜省略して説明する。
【００３６】
第二実施形態に係る照明装置２００は、波長変換部材２が透光性カバー４に備えられている。この構成によると、波長変換部材２が発光装置１０から離間することにより、比較的熱に弱い波長変換部材２であっても劣化することなく用いることが出来る。
【００３７】
波長変換部材２は透光性カバー４に備えていればよく、例えば図７に示すように、蓄光蛍光体３と共に透光性カバー４に含有させることができる。また他の形態としては、透光性カバー４の表面に波長変換部材２を印刷、噴霧、ブラッシング、流し塗り、浸漬することによって設けることも出来る。さらに、波長変換部材２をシート状に形成して透光性カバー４の表面に貼付してもよい。
【００３８】
第二実施形態に係る照明装置２００において、発光装置１０側に波長変換部材２をさらに備えていてもよい。つまり、波長変換部材２は発光装置１０と透光性カバー４の両方に備えることが出来る。この形態の一例としては、発光装置１０は青色発光する発光素子１とＹＡＧ系蛍光体等の波長変換部材２を備え、透光性カバー４にはＣａ２Ｓｉ５Ｎ８:Ｅｕ,ＣａＡｌＳｉＮ3:Ｅｕ,（Ｓｒ,Ｃａ）ＡｌＳｉＮ3:Ｅｕ,Ｋ2ＳｉＦ6：Ｍｎ等の赤色蛍光体の波長変換部材２を備えることが出来る。この構成によると、発光装置１０から出射される白色光を透光性カバー４に設けた赤色蛍光体によって発光装置１０の出射光の演色性を向上させることができる。
【００３９】
また、第一実施形態に係る照明装置１００と同様に、第二実施形態に係る照明装置２００の蓄光蛍光体含有カバー１２は複数の小カバーを組み合わせて形成することが出来る。この構成の一例としては、透光性カバー４の上面側に赤色蛍光体の波長変換部材２を含有させ、透光性カバー４の下面側に蓄光蛍光体３を含有させることが出来る。この構成によると、照明装置２００は、通常の点灯時においては演色性が向上した白色光を得ることができ、消灯時には下面側に含有された蓄光蛍光体３によって効率的に残光を得ることが出来る。この時、蓄光蛍光体３の出射光によって、波長変換部材２が励起することが好ましい。例えば、蓄光蛍光体３を青緑系の蓄光蛍光体３とすることで、残光時に白色光を発光する照明装置２００を得ることが出来る。
【００４０】
（カバーの成形方法）
蓄光蛍光体含有カバー１２の成形方法は第一実施形態と同様に成形することが出来る。例えば、蓄光蛍光体３と波長変換部材２を透光性カバー４に含有させる場合、透光性カバー４の原料と蓄光蛍光体３と波長変換部材２を混合し、その混合物を射出成形等で蓄光蛍光体含有カバー１２として成形させることが出来る。この場合、蓄光蛍光体３と波長変換部材２の含有濃度を任意に選択することによって望ましい蓄光蛍光体含有カバー１２を形成することができる。
【産業上の利用可能性】
【００４１】
本発明の発光装置１０は、電球型照明、直管型照明、ダウンライト照明などの照明用光源として好適に利用することが出来る。
【符号の説明】
【００４２】
１…発光素子
２…波長変換部材
３…蓄光蛍光体
４…透光性カバー
５…光拡散材料
６…支持体
７…封止部材
１０…発光装置
１１…実装基板
１２…蓄光蛍光体含有カバー
１００,２００…照明装置
【図１】
2015133221.tif 000003
【図２】
2015133221.tif 000004
【図３】
2015133221.tif 000005
【図４】
2015133221.tif 000006
【図５】
2015133221.tif 000007
【図６】
2015133221.tif 000008
【図７】
2015133221.tif 000009